(57)【要約】【課題】濾材原反の襞状領域が幅方向（屈曲部の伸びる方向）に蛇行した状態で接着剤塗布部に搬送されるのを防止することで、得られるフィルタ濾材に不良が生じるのを防止することができるフィルタ濾材の製造装置を提供することを課題とする。【解決手段】載置部材における濾材原反の搬送方向の最も下流側に位置する屈曲部との接触位置から上方側又は下方側に離間した位置に濾材原反が搬送されることで、濾材原反の襞状に形成された領域が一方向に沿って自重で引き伸ばされるように構成される引き伸ばし部を備える。【選択図】図１
2014193430.tif 000002
【特許請求の範囲】
【請求項１】
シート状の濾材原反における一方向の複数箇所で一方向に直行する他方向に沿って濾材原反が屈曲されて複数の屈曲部が形成されると共に該屈曲部以外の領域が対向するように配置されて複数の平板部が形成されることで、濾材原反が襞状に形成されるように構成されるプリーツ加工部と
濾材原反の襞状に形成された領域が載置されるように構成される載置部材を備えると共に該載置部材上で濾材原反の襞状に形成された領域が一方向に沿って搬送されるように構成される搬送部と、
載置部材における濾材原反の搬送方向の最も下流側に位置する屈曲部との接触位置から上方側又は下方側に離間した位置に濾材原反が搬送されることで、濾材原反の襞状に形成された領域が一方向に沿って自重で引き伸ばされるように構成される引き伸ばし部と、
該引き伸ばし部から搬送される濾材原反の襞状に形成された領域がシート状に引き伸ばされると共に濾材原反に接着剤が塗布されるように構成される接着剤塗布部とを備えるフィルタ濾材の製造装置。
【請求項２】
前記引き伸ばし部は、載置部材における濾材原反の搬送方向の最も下流側に位置する屈曲部との接触位置から上方側又は下方側に離間した位置に濾材原反の襞状に形成された領域を保持するように構成される保持部材を備え、該保持部材は、載置部材における濾材原反の搬送方向の最も下流側に位置する屈曲部との接触位置よりも上方側又は下方側に配置されて、濾材原反の下側又は上側から濾材原反に当接するように構成される請求項１に記載のフィルタ濾材の製造装置。
【請求項３】
前記引き伸ばし部は、載置部材における濾材原反の搬送方向の最も下流側に位置する屈曲部との接触位置から垂直方向に沿って濾材原反の襞状に形成された領域の高さの３倍以上の高さ位置まで、濾材原反の襞状に形成された領域が搬送されるように構成される請求項１又は２に記載のフィルタ濾材の製造装置。
【発明の詳細な説明】
【技術分野】
【０００１】
本発明は、被濾過気体に含まれる粒子を捕集するフィルタ濾材の製造装置に関し、特に、シート状に形成された濾材原反がプリーツ加工されてなるフィルタ濾材を製造するものに関する。
【背景技術】
【０００２】
従来から、半導体や液晶を製造する工場のクリーンルーム等では、被濾過気体に含まれる粒子を捕集可能に構成されたフィルタ濾材が使用されている。斯かるフィルタ濾材は、シート状に形成された濾材原反が複数箇所で屈曲されて襞状に形成されてなるものが使用されている。このようなフィルタ濾材は、濾材原反が屈曲されて形成される屈曲部と、該屈曲部以外の領域が対向するように配置されて形成される複数の平板部と、隣り合う平板部同士の間隔を保持する複数の間隔保持部とを備えている。
【０００３】
斯かるフィルタ濾材を製造する製造装置としては、シート状の濾材原反が一方向に沿って搬送されつつ複数箇所で屈曲されて襞状に形成される（プリーツ加工される）ように構成されたプリーツ加工部と、該プリーツ加工部でプリーツ加工された濾材原反に接着剤が塗布されるように構成された接着剤塗布部と、該接着剤塗布部で接着剤が塗布された濾材原反が再び襞状に形成されると共に、隣り合う平板部の対向面のそれぞれに塗布された接着剤同士が連結して間隔保持部が形成されることで、フィルタ濾材が形成されるように構成された濾材形成部とを備えるものが用いられている（特許文献１および２参照）。
【０００４】
上記のような製造装置では、プリーツ加工部で屈曲部および平板部が形成されることで、濾材原反における屈曲部となる領域に折り癖が付けられる。このため、接着剤塗布部で接着剤が濾材原反に塗布される際に、濾材原反の襞状に形成された領域（以下、襞状領域とも記す）がシート状に引き伸ばされても、濾材形成部で容易に襞状に戻すことが可能となる。
【先行技術文献】
【特許文献】
【０００５】
【特許文献１】特開２００３−２６５９１０号公報
【特許文献２】特開２００４−３２１９３７号公報
【発明の概要】
【発明が解決しようとする課題】
【０００６】
しかしながら、上記のような製造装置では、接着剤塗布部に搬送される前の濾材原反の襞状領域は、平板部同士の間隔が広がったり狭まったりすることが自在になっている。このため、濾材原反の襞状領域が接着剤塗布部に引き込まれる（搬送される）際に、濾材原反の幅方向（屈曲部に沿った方向）の両端部が同時に接着剤塗布部側へ引き込まれない（搬送されない）場合がある。つまり、濾材原反の襞状領域が幅方向に沿って蛇行しながら接着剤塗布部へ搬送される場合がある。このような蛇行が生じると、接着剤塗布部での接着剤の塗布位置に誤差が生じることになる。斯かる塗布位置の誤差は、濾材形成部でフィルタ濾材を形成する際に、隣り合う平板部の対向面のそれぞれに塗布された接着剤同士が連結し無かったり、連結位置にズレが生じたりするため、フィルタ濾材に不良を生じさせる要因となる。
【０００７】
そこで、本発明は、濾材原反の襞状領域が幅方向（屈曲部の伸びる方向）に蛇行した状態で接着剤塗布部に搬送されるのを防止することで、得られるフィルタ濾材に不良が生じるのを防止することができるフィルタ濾材の製造装置を提供することを課題とする。
【課題を解決するための手段】
【０００８】
本発明に係るフィルタ濾材の製造装置は、シート状の濾材原反における一方向の複数箇所で一方向に直行する他方向に沿って濾材原反が屈曲されて複数の屈曲部が形成されると共に該屈曲部以外の領域が対向するように配置されて複数の平板部が形成されることで、濾材原反が襞状に形成されるように構成されるプリーツ加工部と濾材原反の襞状に形成された領域が載置されるように構成される載置部材を備えると共に該載置部材上で濾材原反の襞状に形成された領域が一方向に沿って搬送されるように構成される搬送部と、載置部材における濾材原反の搬送方向の最も下流側に位置する屈曲部との接触位置から上方側又は下方側に離間した位置に濾材原反が搬送されることで、濾材原反の襞状に形成された領域が一方向に沿って自重で引き伸ばされるように構成される引き伸ばし部と、該引き伸ばし部から搬送される濾材原反の襞状に形成された領域がシート状に引き伸ばされると共に濾材原反に接着剤が塗布されるように構成される接着剤塗布部とを備える。
【０００９】
斯かる構成によれば、引き伸ばし部を備えることで、濾材原反の襞状領域が接着剤塗布部に搬送される前に、自重によって引き伸ばされるため、濾材原反の襞状領域が蛇行して接着剤塗布部に搬送されるのを防止することができる。
【００１０】
具体的には、濾材原反の襞状領域が接着剤塗布部に搬送される前に、引き伸ばし部で引き伸ばされるため、濾材原反の襞状領域が接着剤塗布部に引き込まれる（搬送される）際に、濾材原反の他方向の両端部が同時に接着剤塗布部へ搬送される。このため、濾材原反の襞状領域が濾材原反の他方向に沿って蛇行しながら接着剤塗布部に搬送されるのを防止することができる。これにより、接着剤塗布部での接着剤の塗布位置にズレが生じるのを防止することができ、得られるフィルタ濾材に不良が生じるのを防止することができる。
【００１１】
また、濾材原反の襞状領域は、自重によって引き伸ばされるため、濾材原反の襞状領域と他の部材との接触によって濾材原反が損傷してしますのを防止することができる。これにより、フィルタ濾材の捕集効率が低下するのを防止することができる。
【００１２】
前記引き伸ばし部は、載置部材における濾材原反の搬送方向の最も下流側に位置する屈曲部との接触位置から上方側又は下方側に離間した位置に濾材原反の襞状に形成された領域を保持するように構成される保持部材を備え、該保持部材は、載置部材における濾材原反の搬送方向の最も下流側に位置する屈曲部との接触位置よりも上方側又は下方側に配置されて、濾材原反の下側又は上側から濾材原反に当接するように構成されることが好ましい。
【００１３】
斯かる構成によれば、保持部材を備えることで、濾材原反の襞状領域が載置部材における濾材原反の搬送方向の最も下流側に位置する屈曲部との接触位置から上方側又は下方側に離間した位置に確実に保持される。このため、濾材原反の襞状領域を自重で確実に引き伸ばすことができる。
【００１４】
前記引き伸ばし部は、載置部材における濾材原反の搬送方向の最も下流側に位置する屈曲部との接触位置から垂直方向に沿って濾材原反の襞状に形成された領域の高さの３倍以上の高さ位置まで、濾材原反の襞状に形成された領域が搬送されるように構成されることが好ましい。
【００１５】
斯かる構成によれば、引き伸ばし部では、濾材原反の襞状領域は、自重によって引き伸ばされるため、濾材原反の襞状領域の高さの３倍以上の高さ位置に濾材原反の襞状領域が搬送されることで、濾材原反の襞状領域を自重で確実に引き伸ばすことができる。
【発明の効果】
【００１６】
以上のように、本発明によれば、濾材原反の襞状領域が幅方向（屈曲部の伸びる方向）に蛇行した状態で接着剤塗布部に搬送されるのを防止することで、得られるフィルタ濾材に不良が生じるのを防止することができる。
【図面の簡単な説明】
【００１７】
【図１】第一実施形態に係るフィルタ濾材の製造装置を示した概略図。
【図２】同実施形態のフィルタ濾材の製造装置の拡大図であって、（ａ）は、搬送部の拡大図、（ｂ）は、引き伸ばし部の拡大図。
【図３】同実施形態のフィルタ濾材の製造装置を用いて濾材原反に接着剤が塗布された状態を示す斜視図およびその一部拡大図。
【図４】同実施形態のフィルタ濾材の製造装置を用いて製造されるフィルタ濾材の斜視図。
【図５】同実施形態のフィルタ濾材の製造装置を用いて製造されるフィルタ濾材の断面図。
【図６】第二実施形態に係るフィルタ濾材の製造装置を示した概略図。
【図７】（ａ）は、蛇行量を測定する方法を示した図、（ｂ）は、比較例の製造装置における板バネの設置位置をしました図。
【発明を実施するための形態】
【００１８】
＜第一実施形態＞
以下、本発明の第一実施形態について図１〜５を参照しながら説明する。なお、以下の図面において同一または相当する部分には、同一の参照符号を付しその説明は繰り返さない。
【００１９】
本実施形態に係るフィルタ濾材の製造装置（以下、単に製造装置とも記す）１は、図１に示すように、シート状に形成された濾材原反Ａが一方向に沿って搬送されつつ、襞状に形成される（プリーツ加工される）ことで、フィルタ濾材Ｆ１を形成可能に構成される。濾材原反Ａとしては、一方向が長手となるようにシート状に形成されたものが用いられる。本実施形態では、濾材原反Ａとしては、一方向が長手となるように長尺状に形成されて巻き回された状態から巻き解かれることでシート状になるように構成されたものが用いられる。
【００２０】
ここで、濾材原反Ａについて説明する。濾材原反Ａは、被濾過気体中の粒子を捕集可能に構成される。具体的には、濾材原反Ａは、被濾過気体に含まれる粒子を捕集する多孔質層Ａ１と、通気性を有する基材層Ａ２とを備える。本実施形態では、濾材原反Ａは、複数（本実施形態では、２つ）の基材層Ａ２を備え、２つの基材層Ａ２の間に多孔質層Ａ１が積層されて構成される。
【００２１】
前記多孔質層Ａ１は、前記粒子を捕集可能な多孔質のシート材（以下、多孔質シートとも記す）を用いて形成される。該多孔質シートとしては、特に限定されるものではなく、フィルタ濾材Ｆ１の用途に応じて適宜選択することができる。例えば、ポリテトラフルオロエチレン（ＰＴＦＥ）をシート状に形成したＰＴＦＥシートや、メルトブロー不織布、エレクトレットフィルタ、又は、ガラス繊維等を用いることができる。本実施形態では、多孔質シートとして、ＰＴＦＥシートが使用される。該ＰＴＦＥシートは、透過流速５．３ｃｍ／ｓｅｃでの圧力損失が５０ｍｍＨ2Ｏ以下であることが好ましい。また、ＰＴＦＥシートは、透過流速５．３ｃｍ／ｓｅｃ、測定粒子径０．１μｍ以上０．２μｍ以下での捕集効率（下記の実施例と同様に算出されるもの）が好ましくは８０％以上、より好ましくは９９．９％以上であり、ＰＦ値が２２以上であることが好ましい。
【００２２】
前記基材層Ａ２は、通気性を有するシート材（以下、通気性シートとも記す）を用いて形成される。通気性シートとしては、特に限定されるものではなく、例えば、不織布、織布、メッシュ、高分子繊維等を用いることができる。特に、多孔質層Ａ１（多孔質層シート）と基材層Ａ２（通気性シート）とを熱溶着（熱ラミネート）させる場合には、熱可塑性を有する素材からなる通気性シートを用いることが好ましい。
【００２３】
通気性シートの材質としては、例えば、ポリエチレンやポリプロピレン等のポリオレフィン、ナイロン、ポリエステル、アラミド（具体的には、芳香族系ポリアミド等）、又は、これらを複合したもの（例えば、芯／鞘構造の繊維から成る不織布や、低融点材料と高融点材料の二層不織布等）が挙げられる。加えて、通気性シートの材質としては、例えば、ＰＦＡ（テトラフルオロエチレン／パーフルオロアルキルビニルエーテル共重合体）、ＦＥＰ（テトラフルオロエチレン／ヘキサフルオロプロピレン共重合体）、ＰＴＦＥの多孔質膜等のフッ素系多孔膜が挙げられる。
【００２４】
特に、芯鞘構造の複合繊維であって、芯成分が鞘成分より相対的に融点が高い合成繊維からなる不織布や、低融点材料と高融点材料との二層からなる不織布等を用いて形成された通気性シートを用いることが好ましい。このような通気性シートを用いることで、多孔質層シート（多孔質層Ａ１）と通気性シート（基材層Ａ２）とを熱ラミネートした際に、通気性シート（基材層Ａ２）に収縮が生じるのを抑制することが可能となる。また、斯かる通気性シートを用いることで、プリーツ加工する際の加工性が良好なものとなり、濾材原反Ａを屈曲させる箇所（折り込みピッチ）を増やすことが可能となる。
【００２５】
上記のような構成の濾材原反Ａを形成する方法としては、特に限定されるものではなく、例えば、多孔質層Ａ１を形成する多孔質シートと、基材層Ａ２を形成する通気性シートとの間にホットメルトや感圧型の接着剤を配置し、多孔質シートと通気性シートとを圧着する方法を採用することができる。又は、通気性シートを加熱して軟化させて多孔質シートと圧着（熱ラミネート）する方法を採用することができる。
【００２６】
本実施形態に係る製造装置１は、濾材原反Ａがプリーツ加工されるように構成されるプリーツ加工部２と、濾材原反Ａに接着剤が塗布されるように構成される接着剤塗布部３と、接着剤が塗布された濾材原反Ａからフィルタ濾材Ｆ１が形成されるように構成される濾材形成部４とを備える。また、製造装置１は、濾材原反Ａの襞状に形成された領域（以下、襞状領域とも記す）が一方向に沿って搬送されるように構成される搬送部５と、濾材原反Ａの襞状領域が一方向に沿って引き伸ばされるように構成される引き伸ばし部６とを更に備える。
【００２７】
プリーツ加工部２は、シート状の濾材原反Ａが一方向（長手方向）に沿って搬送されるように構成される。また、プリーツ加工部２は、板状に形成された一対のブレード２ａ，２ａを備える。また、プリーツ加工部２は、一対のブレード２ａ，２ａの間に濾材原反Ａが搬送されるように構成される。また、一対のブレード２ａ，２ａは、濾材原反Ａの一方向（長手方向）に直行する他方向（幅方向）に沿って配置される。なお、プリーツ加工部２に搬送される際の濾材原反Ａは、所定の幅に裁断されることが好ましい。
【００２８】
そして、一対のブレード２ａ，２ａのそれぞれが軌道２Ｌに沿って稼動することで、濾材原反Ａがプリーツ加工される。具体的には、一方のブレード２ａによって濾材原反Ａが一方の面側から他方の面側に向かって幅方向に沿って屈曲されると共に、一方のブレード２ａによって屈曲された領域から濾材原反Ａの長手方向に離間した位置で、他方のブレード２ａによって濾材原反Ａが他方の面側から一方の面側に向かって幅方向に沿って屈曲される。つまり、プリーツ加工部２は、一対のブレード２ａ，２ａによって、濾材原反Ａが長手方向に向かって間隔を空けて交互に折り込まれる（プリーツ加工される）ように構成される（レシプロ方式）。これにより、シート状の濾材原反Ａにおける一方向（長手方向）の複数箇所で他方向（幅方向）に沿って濾材原反Ａが屈曲されて複数の屈曲部Ｆ１ａが形成されると共に、該屈曲部Ｆ１ａ以外の領域が対向するように配置されて複数の平板部Ｆ１ｂが形成され、濾材原反Ａに襞状領域が形成される。
【００２９】
濾材原反Ａの襞状領域は、プリーツ加工部２から搬送部５に搬送される。該搬送部５は、図２（ａ）に示すように、濾材原反Ａの襞状領域が一方向（シート状の濾材原反Ａの一方向に相当する方向、即ち、長手方向）に沿って搬送されつつ一方向に沿って圧縮されるように構成されるプリーツ圧縮部５ａと、該プリーツ圧縮部５ａで圧縮された状態の襞状領域が一方向に沿って搬送されつつ圧縮された状態から開放されるように構成されるプリーツ開放部５ｂとから構成される。また、搬送部５は、濾材原反Ａの襞状領域が載置されるように構成される載置部材５ｉを備える。
【００３０】
プリーツ圧縮部５ａは、濾材原反Ａの襞状領域を濾材原反Ａの両面側から挟み込むように構成される挟込部５ｃと、該挟込部５ｃよりも濾材原反Ａの搬送方向下流側に配置されて濾材原反Ａの襞状領域を少なくとも濾材原反Ａの一方の面側から加圧するように構成される加圧部５ｄとを備える。
【００３１】
本実施形態では、プリーツ圧縮部５ａは、濾材原反Ａの襞状領域が載置される下側プレート５ｅと、該下側プレート５ｅの上方に配置される上側プレート５ｆと、濾材原反Ａの襞状領域を加圧する加圧装置５ｇとから構成される。そして、下側プレート５ｅにおける搬送方向上流側の領域と上側プレート５ｆとによって挟込部５ｃが構成されると共に、下側プレート５ｅにおける搬送方向下流側の領域と加圧装置５ｇとによって加圧部５ｄが構成される。また、下側プレート５ｅによって載置部材５ｉの搬送方向上流側の領域が形成される。
【００３２】
挟込部５ｃは、下側プレート５ｅと上側プレート５ｆとの間に濾材原反Ａの襞状領域を挟み込むように構成される。これにより、各屈曲部Ｆ１ａにおける山側となる面に挟込部５ｃ（具体的には、下側プレート５ｅおよび上側プレート５ｆ）が接触する。そして、濾材原反Ａの襞状領域が一方向に搬送されることで、挟込部５ｃ（具体的には、下側プレート５ｅおよび上側プレート５ｆ）が各屈曲部Ｆ１ａと摺接する。
【００３３】
一方、加圧部５ｄは、下側プレート５ｅ上に載置された濾材原反Ａの襞状領域が上方から加圧装置５ｇによって加圧されるように構成される。このように、加圧部５ｄで濾材原反Ａの襞状領域が加圧されることで、プリーツ圧縮部５ａ内での濾材原反Ａの搬送速度は、プリーツ加工部２からプリーツ圧縮部５ａへの濾材原反Ａの搬送速度よりも遅くなる。このため、プリーツ圧縮部５ａ内では、濾材原反Ａの襞状領域が一方向（濾材原反Ａの長手方向）に沿って圧縮され、平板部Ｆ１ｂ同士の間隔が近接した状態になると共に、屈曲部Ｆ１ａの折り癖が強くなる。このように、折り癖が強くなることで、後述する接着剤塗布部３で濾材原反Ａの襞状領域が引き伸ばされても、濾材形成部４で容易に襞状に戻すことが可能となる。なお、折り癖が効果的に保持されるように、プリーツ圧縮部５ａは、濾材原反を加温する（具体的には、８０℃程度に加温する）加温機構（図示せず）を更に備えることが好ましい。
【００３４】
プリーツ圧縮部５ａで圧縮された濾材原反Ａの襞状領域は、プリーツ開放部５ｂに搬送される。プリーツ開放部５ｂは、濾材原反Ａの襞状領域が一方向（シート状の濾材原反Ａの一方向に相当する方向、即ち、長手方向）に沿って搬送されるように構成される。具体的には、プリーツ開放部５ｂは、濾材原反Ａの搬送方向下流側に位置する下側プレート５ｅの端部から下方に向かって傾斜すると共に、濾材原反Ａの襞状領域が載置されるように構成される傾斜プレート５ｈから構成される。つまり、傾斜プレート５ｈによって載置部材５ｉの搬送方向下流側の領域が形成される。これにより、濾材原反Ａの襞状領域がプリーツ圧縮部５ａからプリーツ開放部５ｂに搬送されることで、濾材原反Ａの襞状領域が傾斜プレート５ｈ上を一方向（濾材原反Ａの長手方向）に沿って搬送される。そして、プリーツ開放部５ｂでは、濾材原反Ａの襞状領域が圧縮された状態から開放されることで、プリーツ圧縮部５ａ内よりも平板部Ｆ１ｂ同士の間隔が広がることになる。
【００３５】
濾材原反Ａの襞状領域は、搬送部５から引き伸ばし部６に搬送される。該引き伸ばし部６は、図２（ｂ）に示すように、濾材原反Ａの襞状領域が一方向（シート状の濾材原反Ａの一方向に相当する方向、即ち、長手方向）に沿って搬送されつつ一方向に引き伸ばされるように構成される。また、引き伸ばし部６は、載置部材５ｉにおける濾材原反Ａの搬送方向の最も下流側に位置する屈曲部（以下、最下流側屈曲部）Ｆ１ａとの接触位置から上方側に離間した位置（以下、上方引き伸ばし位置とも記す）Ｈに濾材原反Ａの襞状領域が搬送されるように構成される。
【００３６】
具体的には、引き伸ばし部６は、濾材原反Ａの襞状領域を上方引き伸ばし位置Ｈに保持する保持部材６ａと、載置部材５ｉ（具体的には、傾斜プレート５ｈ）における搬送方向下流側の端部に配置されて搬送方向下流側から平板部Ｆ１ｂに当接する当接部材６ｂとを備える。本実施形態では、保持部材６ａは、濾材原反Ａの幅方向に沿って配置されて搬送方向に沿って回転自在に構成されるローラー本体６ｃと、該ローラー本体６ｃの外周面から環状に突出するように形成されると共にローラー本体６ｃの軸方向に間隔を空けて配置される一対の環状突出部６ｄ，６ｄとから構成される。
【００３７】
保持部材６ａは、載置部材５ｉ（具体的には、傾斜プレート５ｈ）における最下流側屈曲部Ｆ１ａとの接触位置から上方側に離間した位置に配置される。そして、保持部材６ａ（具体的には、ローラー本体６ｃ）が濾材原反Ａの襞状領域に下側から当接すると共に、一対の環状突出部６ｄ，６ｄの間に濾材原反Ａの襞状領域が配置される。これにより、濾材原反Ａの襞状領域がローラー本体６ｃによって下方から支持されるため、濾材原反Ａの襞状領域が上方引き伸ばし位置Ｈに保持される。これにより、濾材原反Ａの襞状領域が上方引き伸ばし位置Ｈから下方に垂れ下がった状態となるため、自重によって襞状領域が引き伸ばされる。また、一対の環状突出部６ｄによって、濾材原反Ａの襞状領域が幅方向に沿って蛇行するのが防止される。
【００３８】
当接部材６ｂは、濾材原反Ａの幅方向に沿って配置される一対の棒状部材６ｅ，６ｅから構成される。該一対の棒状部材６ｅ，６ｅは、上下に間隔を空けて配置され、各棒状部材６ｅ，６ｅの間を濾材原反Ａの襞状領域が通過するように構成される。そして、濾材原反Ａの襞状領域の搬送方向の最も下流側に位置する平板部Ｆ１ｂに、一対の棒状部材６ｅ，６ｅが搬送方向の下流側から当接する。これにより、濾材原反Ａの襞状領域が搬送方向下流側に向かって載置部材５ｉ（具体的には、傾斜プレート５ｈ）から脱落するのが防止されると共に、濾材原反Ａの襞状領域が一対の棒状部材６ｅ，６ｅ間を通って上方引き伸ばし位置Ｈに搬送される。
【００３９】
なお、上方引き伸ばし位置Ｈは、載置部材５ｉにおける最下流側屈曲部Ｆ１ａとの接触位置から垂直方向に沿って所定の高さ位置を意味する。また、上方引き伸ばし位置Ｈとしては、特に限定されるものではないが、濾材原反Ａの襞状領域の高さＬ３の３倍以上であることが好ましく、３倍以上４倍以下であることがより好ましい。なお、濾材原反Ａの襞状領域の高さＬ３は、濾材原反Ａの一方の面側が山側となるように形成される屈曲部Ｆ１ａと、濾材原反Ａの他方の面側が山側となるように形成される屈曲部Ｆ１ａとの間の平板部Ｆ１ｂに沿った距離を意味する。
【００４０】
図１に戻り、引き伸ばし部６で引き伸ばされた濾材原反Ａの襞状領域は、接着剤塗布部３に搬送される。接着剤塗布部３は、濾材原反Ａの襞状領域がプリーツ加工前の状態（シート状）に引き伸ばされるように構成される。具体的には、接着剤塗布部３は、複数のニップローラーを備え、該ニップローラーによって濾材原反Ａの襞状領域に一方向（長手方向）に沿って張力が加えられる。これにより、濾材原反Ａの襞状領域がシート状に引き伸ばされる。なお、濾材原反Ａにおける引き伸ばされた領域において、濾材原反Ａが所定の幅に裁断されてもよい。この際、裁断された部分には、張力が加わらないようにすることが好ましい。
【００４１】
また、接着剤塗布部３は、濾材原反Ａの襞状領域がシート状に引き伸ばされた状態で、濾材原反Ａに接着剤が塗布されるように構成される。また、接着剤塗布部３は、濾材原反Ａの一方向（長手方向）に沿って濾材原反Ａが相対的に搬送されるように構成される。そして、接着剤塗布部３は、濾材原反Ａの長手方向（搬送方向）に沿って間欠的に接着剤が塗布されるように構成される。また、接着剤塗布部３は、濾材原反Ａの搬送方向が上下方向となる位置（以下、上下搬送位置とも記す）３ｂで濾材原反Ａに接着剤が塗布されるように構成される。
【００４２】
また、接着剤塗布部３は、濾材原反Ａに接着剤を射出する射出ノズル３ａを備える。該射出ノズル３ａは、接着剤塗布部３における上下搬送位置３ｂに配置される。また、射出ノズル３ａは、濾材原反Ａの一方の面側と他方の面側とに配置される。更に、射出ノズル３ａは、濾材原反Ａの幅方向に沿って間隔を空けて複数配置される。これにより、濾材原反Ａの幅方向に間隔を空けて複数箇所に、接着剤が塗布される。また、接着剤塗布部３は、濾材原反Ａが射出ノズル３ａに対して一方向（長手方向）に沿って相対的に搬送されるように構成される。これにより、射出ノズル３ａの先端部から接着剤が射出される（具体的には、断続的に射出される）ことで、濾材原反Ａの一方向（長手方向）に沿って、濾材原反Ａの両面に線状に（具体的には、線状に且つ間欠的に）接着剤が塗布される。
【００４３】
接着剤塗布部３で濾材原反Ａに塗布される接着剤としては、特に限定されるものではなく、例えば、ホットメルト（具体的には、熱可塑性の樹脂）を用いることができる。ホットメルトを濾材原反Ａに塗布する際の温度としては、ホットメルトの成分によって異なるが、例えば、１００℃以上２５０℃以下であることが好ましく、１４０℃以上２３０℃以下であることがより好ましい。ホットメルトの成分としては、ＥＶＡ、ポリアミド等を用いることができ、ポリアミド系のホットメルトとして、マクロメルト６２０２（ヘンケル社製）等が挙げられる。
【００４４】
接着剤塗布部３で濾材原反Ａに塗布された接着剤は、図３に示すように、ビード部Ｂを構成する。該ビード部Ｂは、濾材原反Ａの両面に形成される。また、ビード部Ｂは、濾材原反Ａの一方向（長手方向）に沿って線状に且つ間欠的に形成される。
【００４５】
濾材原反Ａの一方の面側に形成されるビード部（以下、一方面側ビード部とも記す）Ｂおよび濾材原反Ａの他方の面側に形成されるビード部（以下、他方面側ビード部とも記す）Ｂは、濾材原反Ａの複数箇所に形成される。具体的には、一方面側ビード部Ｂおよび他方面側ビード部Ｂは、濾材原反Ａの一方向（長手方向）に沿って間隔を空けて複数形成される。また、一方面側ビード部Ｂと他方面側ビード部Ｂとは、濾材原反Ａの一方向（長手方向）に沿って交互に（更には、濾材原反Ａを介して端部同士が重なるように）形成される。また、一方面側ビード部Ｂおよび他方面側ビード部Ｂは、濾材原反Ａの幅方向に沿って間隔を空けて複数（本実施形態では、３つ）形成される。
【００４６】
一方面側ビード部Ｂおよび他方面側ビード部Ｂは、濾材原反Ａがプリーツ加工された際に屈曲された領域（以下、屈曲領域とも記す）Ａ３と交差（略直交）するように形成される。具体的には、隣り合う屈曲領域Ａ３，Ａ３のうち、一方の屈曲領域Ａ３と一方面側ビード部Ｂとが交差すると共に、他方の屈曲領域Ａ３と他方面側ビード部Ｂとが交差するように構成される。また、一方面側ビード部Ｂおよび他方面側ビード部Ｂは、各屈曲領域Ａ３・・・における山側になる面上に形成される。
【００４７】
また、一方面側ビード部Ｂおよび他方面側ビード部Ｂは、濾材原反Ａにおける隣り合う屈曲領域Ａ３の間の領域（以下、非屈曲領域とも記す）Ａ４の両面に形成される。具体的には、一方面側ビード部Ｂおよび他方面側ビード部Ｂは、各屈曲領域Ａ３との交差位置から各非屈曲領域Ａ４の略中央部に亘って形成され、略中央部で濾材原反Ａを介して端部同士が重なるように形成される。
【００４８】
濾材形成部４は、接着剤塗布部３で接着剤が塗布された（ビード部Ｂが形成された）濾材原反Ａが各屈曲領域Ａ３で再度屈曲されて襞状に形成される。各屈曲領域Ａ３には、上述したように折り癖が付いているため、容易に再度屈曲され、濾材原反Ａが襞状に形成される。これにより、各非屈曲領域Ａ４が対向するように配置される。そして、隣り合う非屈曲領域Ａ４，Ａ４に形成された一方面側ビード部Ｂ，Ｂ同士が接合すると共に、他方面側ビード部Ｂ同士が接合する。これにより、フィルタ濾材Ｆ１が形成される。該フィルタ濾材Ｆ１は、図４に示すように、濾材原反Ａが屈曲されて形成される屈曲部Ｆ１ａを複数備えると共に、濾材原反Ａにおける屈曲部Ｆ１ａ以外の領域（非屈曲領域Ａ４）から形成される平板部Ｆ１ｂを複数備える。また、フィルタ濾材Ｆ１は、隣り合う平板部Ｆ１ｂ，Ｆ１ｂ同士の間隔を保持する間隔保持部Ｆ１ｃを複数備える。該間隔保持部Ｆ１ｃは、各一方面側ビード部Ｂ（又は、各他方面側ビード部Ｂ）同士が接合することで形成される。
【００４９】
なお、ビード部Ｂを構成する接着剤にホットメルトを使用する場合には、ホットメルト同士が接合可能な程度に軟化している時（オープンタイム内）に、濾材原反Ａが再度襞状に形成されることが好ましい。
【００５０】
なお、以下の説明では、フィルタ濾材Ｆ１における濾材原反Ａの一方向（長手方向）に相当する方向をフィルタ濾材Ｆ１の長さＬ１とする。また、濾材原反Ａの一方の面側が山側となるように形成される屈曲部Ｆ１ａと、濾材原反Ａの他方の面側が山側となるように形成される屈曲部Ｆ１ａとの間の間隔をフィルタ濾材Ｆ１の高さＬ２とする。
【００５１】
上記のように形成されるフィルタ濾材Ｆ１は、図４に示すように、濾材原反Ａの一方の面側および他方の面側のそれぞれに間隔保持部Ｆ１ｃを備える。また、各間隔保持部Ｆ１ｃは、フィルタ濾材Ｆ１の高さＬ２方向に沿って直線状に形成される。また、フィルタ濾材Ｆ１の一方の面側の各間隔保持部Ｆ１ｃおよび他方の面側の各間隔保持部Ｆ１ｃは、フィルタ濾材Ｆ１の長さＬ１方向に沿って（具体的には、直線上に）交互に配列される。
【００５２】
上記のようなフィルタ濾材Ｆ１は、フィルタ濾材Ｆ１を収容可能に構成された枠体に収容されてフィルタユニットとして使用される。該枠体は、フィルタ濾材Ｆ１を収容する内部空間と、該内部空間に連通する一対の開口部とを備える。これにより、枠体は、一方の開口部側から他方の開口部側に向かって被濾過気体が通過するように構成される。
【００５３】
枠体の形状としては、フィルタ濾材Ｆ１を収容可能な形状であれば、特に限定されものではなく、例えば、直方体状や円形状等が挙げられる。また、枠体の材質としては、特に限定されるものではなく、アルミニウム製のものを用いることができる。
【００５４】
フィルタ濾材Ｆ１と枠体との間には、コーキング剤が充填される。該コーキング剤としては、例えば、二液エポキシコーキング剤（具体的には、ヘンケル社製  マクロプラスト８１０４ＭＣ−１８と、マクロプラストＵＫ５４００を３：１の比率で混合したもの）等を用いることができる。
【００５５】
斯かるフィルタユニットは、クリーンルーム等のＨＥＰＡ（Ｈｉｇｈ  Ｅｆｆｉｃｉｅｎｃｙ  Ｐａｒｔｉｃｕｌａｔｅ  Ａｉｒ）フィルタ、及びＵＬＰＡ（Ｕｌｔｒａ  Ｌｏｗ  Ｐｅｎｅｔｒａｔｉｏｎ  Ａｉｒ）フィルタとして好適に使用される。
【００５６】
上記のように構成されるフィルタユニットは、フィルタ濾材Ｆ１の長さＬ１方向が被濾過気体の流通方向に対して交差（具体的には、略直交）するように配置される。つまり、フィルタユニットは、フィルタ濾材Ｆ１の高さＬ２方向から被濾過気体がフィルタ濾材Ｆ１に接触するように配置される。これにより、枠体の一方の開口部からフィルタユニットの内部に流入した被濾過気体が内部空間でフィルタ濾材Ｆ１を透過して枠体の他方の開口部から排出される。
【００５７】
＜第二実施形態＞
次に、本発明の第二実施形態について、図６を用いて説明する。第二実施形態に係る製造装置１０は、第一実施形態に係る製造装置１と、主に引き伸ばし部６０の構成が異なるものである。従って、以下では、第一実施形態と異なる点を中心に説明し、同一の構成に対しては同一の符号を付すこととして説明を省略する。
【００５８】
引き伸ばし部６０は、載置部材５ｉにおける最下流側屈曲部Ｆ１ａとの接触位置から下方側に離間した位置（以下、下方引き伸ばし位置とも記す）Ｈ’に濾材原反Ａの襞状領域が搬送されるように構成される。
【００５９】
具体的には、引き伸ばし部６０は、濾材原反Ａの襞状領域を引き伸ばし位置に保持する保持部材６ａを備える。保持部材６ａは、載置部材５ｉ（具体的には、傾斜プレート５ｈ）における最下流側屈曲部Ｆ１ａとの接触位置よりも下方側に配置される。そして、保持部材６ａ（具体的には、ローラー本体６ｃ）が濾材原反Ａの襞状領域に上側から当接すると共に一対の環状突出部６ｄの間に濾材原反Ａの襞状領域が配置される。これにより、濾材原反Ａの襞状領域がローラー本体６ｃによって上方から支持されるため、濾材原反Ａの襞状領域が下方引き伸ばし位置Ｈ’に保持される。また、一対の環状突出部６ｄによって、濾材原反Ａの襞状領域が幅方向に沿って蛇行するのが防止される。
【００６０】
なお、下方引き伸ばし位置Ｈ’は、載置部材５ｉにおける最下流側屈曲部Ｆ１ａとの接触位置から垂直方向に沿って所定の高さ位置を意味する。また、下方引き伸ばし位置Ｈ’としては、特に限定されるものではないが、濾材原反Ａの襞状領域の高さＬ３の３倍以上であることが好ましく、３倍以上４倍以下であることがより好ましい。なお、濾材原反Ａの襞状領域の高さＬ３は、濾材原反Ａの一方の面側が山側となるように形成される屈曲部Ｆ１ａと、濾材原反Ａの他方の面側が山側となるように形成される屈曲部Ｆ１ａとの間の平板部Ｆ１ｂに沿った距離を意味する。
【００６１】
上記第一実施形態および第二実施形態で例示されるように、本発明に係るフィルタ濾材の製造装置によれば、濾材原反の襞状領域が幅方向（屈曲部の伸びる方向）に蛇行した状態で接着剤塗布部に搬送されるのを防止することで、得られるフィルタ濾材に不良が生じるのを防止することができる。
【００６２】
即ち、製造装置１，１０は、引き伸ばし部６，６０を備えることで、濾材原反Ａの襞状領域が接着剤塗布部３に搬送される前に、自重によって引き伸ばされるため、濾材原反Ａの襞状領域が蛇行して接着剤塗布部３に搬送されるのを防止することができる。
【００６３】
具体的には、濾材原反Ａの襞状領域が接着剤塗布部３に搬送される前に、引き伸ばし部６，６０で引き伸ばされるため、濾材原反Ａの襞状領域が接着剤塗布部３に引き込まれる（搬送される）際に、濾材原反Ａの他方向（濾材原反Ａの幅方向）の両端部が同時に接着剤塗布部３へ搬送される。このため、濾材原反Ａの襞状領域が濾材原反Ａの他方向（濾材原反Ａの幅方向）に沿って蛇行しながら接着剤塗布部３に搬送されるのを防止することができる。これにより、接着剤塗布部３での接着剤の塗布位置にズレが生じるのを防止することができ、得られるフィルタ濾材Ｆ１に不良が生じるのを防止することができる。
【００６４】
また、濾材原反Ａの襞状領域は、自重によって引き伸ばされるため、濾材原反Ａの襞状領域と他の部材との接触によって濾材原反Ａが損傷してしますのを防止することができる。これにより、フィルタ濾材Ｆ１の捕集効率が低下するのを防止することができる。
【００６５】
また、保持部材６ａを備えることで、濾材原反Ａの襞状領域が載置部材５ｉにおける最下流側屈曲部Ｆ１ａとの接触位置から上方側又は下方側に離間した位置に確実に保持される。このため、濾材原反Ａの襞状領域を自重で確実に引き伸ばすことができる。
【００６６】
また、引き伸ばし部６．６０では、濾材原反Ａの襞状領域は、自重によって引き伸ばされるため、濾材原反Ａの襞状領域の高さの３倍以上の高さ位置に濾材原反Ａの襞状領域が搬送されることで、濾材原反Ａの襞状領域を自重で確実に引き伸ばすことができる。特に、プリーツ圧縮部５ａで濾材原反Ａに折り癖が強く付けられる場合であっても、濾材原反Ａの襞状領域の高さの３倍以上の高さ位置に濾材原反Ａの襞状領域が搬送されることで、濾材原反Ａの襞状領域を自重で確実に引き伸ばすことができる。
【００６７】
なお、本発明に係るフィルタ濾材の製造装置は、上記実施形態に限定されるものではなく、本発明の要旨を逸脱しない範囲で種々の変更が可能である。また、上記の複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６８】
例えば、上記実施形態では、一方面側ビード部Ｂと他方面側ビード部Ｂとが濾材原反Ａを介して端部同士が重なり合うように形成されているが、これに限定されるものではなく、斯かる端部同士が重なり合わないように形成されてもよい。
【００６９】
また、上記実施形態では、一方面側ビード部Ｂと他方面側ビード部Ｂとが間欠的に形成されているが、これに限定されるものではなく、例えば、一方面側ビード部Ｂおよび他方面側ビード部Ｂが濾材原反Ａの一方向（長手方向）に沿って、連続的に形成されてもよい。即ち、接着剤塗布部３において、濾材原反Ａの両面に一方向（長手方向）に沿って連続的に接着剤が塗布されるように構成されてもよい。
【００７０】
また、上記実施形態では、単一の多孔質層Ａ１と一対の基材層Ａ２とからなる濾材原反Ａを用いてフィルタ濾材Ｆ１が構成されているが、これに限定されるものではなく、例えば、単一の多孔質層Ａ１と単一の基材層Ａ２とから形成された濾材原反を用いてもよい。又は、多孔質層Ａ１のみから形成された濾材原反を用いてもよく、単一の基材層Ａ２を多孔質層Ａ１で挟み込むように形成された濾材原反を用いてもよい。
【００７１】
また、上記実施形態では、プリーツ加工部２でレシプロ方式が採用されているが、これに限定されるものではなく、外周に複数のブレードを配置した一対のドラム間に濾材原反Ａを搬送することで濾材原反Ａがプリーツ加工されるように構成されてもよい（ロータリー方式）。
【００７２】
また、上記実施形態では、長尺状に形成された濾材原反Ａが用いられているが、これに限定されるものではなく、例えば、一方向が長手となるように枚葉体状に形成された濾材原反が用いられてもよい。
【００７３】
また、プリーツ加工部２では、濾材原反Ａが効果的に引き伸ばされるように、ニップロールに高低差をつけることが好ましい。また、プリーツ加工後の濾材原反Ａの帯電を防止するために、プリーツ加工を行う雰囲気を加湿したり、製造装置１を構成する部材からアースを取ったりすることが好ましい。そして、製造装置１の全工程において、濾材原反Ａの帯電量は、０．３ｋｖ以下であることが好ましい。
【００７４】
また、接着剤塗布部３では、ビード部Ｂが形成された濾材原反Ａがニップローラーを介して濾材形成部４に搬送される。このため、ニップローラーにビード部Ｂが接触しないように、溝を備えるニップローラーを介して、ビード部Ｂが形成された濾材原反Ａが濾材形成部４に搬送されることが好ましい。
【００７５】
濾材形成部４で形成されたフィルタ濾材Ｆ１は、ベルトコンベア等の搬送手段によって濾材形成部４から搬送される。斯かる搬送手段の搬送速度は、濾材形成部４への濾材原反Ａの搬送速度よりも遅くなるように設定される。なお、搬送手段の搬送速度と濾材形成部４への搬送速度との比および接着剤の塗布量によって、濾材原反Ａを屈曲させる間隔が決定されることが好ましい。
【００７６】
上記第一実施形態では、保持部材６ａを備え、該保持部材６ａによって上方引き伸ばし位置Ｈに濾材原反Ａの襞状領域が保持されているが、これに限定されるものではなく、例えば、保持部材６ａを備えることなく、接着剤塗布部３への濾材原反Ａの入口が上方引き伸ばし位置Ｈ以上の高さ位置に配置されることで、濾材原反Ａの襞状領域が上方引き伸ばし位置Ｈに保持されるように構成されてもよい。また、上記第二実施例では、保持部材６ａを備え、該保持部材６ａによって下方引き伸ばし位置Ｈ’に濾材原反Ａの襞状領域が保持されているが、これに限定されるものではなく、例えば、保持部材６ａを備えることなく、濾材原反Ａの襞状領域が自重によって下方引き伸ばし位置Ｈ’に保持されるように構成されてもよい。
【００７７】
上記実施形態では、載置部材５ｉは、搬送方向の下流側が傾斜プレート５ｈによって構成されているが、これに限定されるものではなく、例えば、プリーツ開放部５ｂが略水平に配置される水平プレートから構成されてもよい。この場合、引き伸ばし部６は、当接部材６ｂを備えないように構成されてもよい。
【００７８】
以下、本発明の実施例について説明する。なお、本発明は、下記の実施例に限定されるものではない。
【００７９】
＜実施例１〜６＞
１．多孔質シートの作製
（１）  ＰＴＦＥファインパウダーとして、ポリフロンＦ−１０４（ダイキン工業社製）を使用した。また、液状潤滑剤として、流動パラフィンを使用した。
（２）ＰＴＦＥファインパウダー１００重量部に対して、液状潤滑剤を３０重量部添加して混合物を得た。
（３）得られた混合物を押出法および圧延法によって圧延し、一方向が長手となる０．２ｍｍのシート状の成形体を得た。
（４）得られたシート状の成形体を２００℃で加熱し、液状潤滑剤を除去した。
（５）次に、得られたシート状の成形体を長手方向に沿って２０倍に延伸して多孔質化した。
（６）更に、得られたシート状の成形体を６０℃の環境で幅方向に沿って２０倍に延伸し、多孔質シートを得た。
（７）得られた多孔質シートは、圧力損失が５０ｍｍＨ2Ｏ以下で、捕集効率が９９．９％以上、ＰＦ値が２２以上となった。
【００８０】
２．濾材原反Ａの作製
得られた多孔質シートと、通気性シート（不織布エルベスＴ０４０３  ユニチカ社製）と積層すると共に、熱ラミネートして濾材原反Ａ（幅：１２００ｍｍ）を得た。
【００８１】
３．フィルタ濾材の作製
上記実施形態の製造装置１を用いて、濾材原反Ａをプリーツ加工すると共に、濾材原反Ａの両面に接着剤（ホットメルト）を塗布し、フィルタ濾材Ｆ１を作製した。なお、プリーツ加工速度は、７０ＰＬＴ／ｍｉｎ、襞状領域の高さＬ２は、３５ｍｍとした。また、プリーツ圧縮部５ａにおける濾材原反Ａの加熱温度は、８０℃とした。
各実施例の保持部材（ガイドロール）６ａの高さＨ、および、保持部材６ａにおける環状突出部６ｄの有無については、下記表１に示す。
【００８２】
４．捕集効率の評価
実施例１〜６の製造装置１で得られた各フィルタ濾材Ｆ１をプリーツ加工前の状態に引き伸ばしてシート状にしたものを試験サンプルとした。
そして、各試験サンプルに対して、ＥＮ１８２２−３（２００９）に規定される方法に準拠し、捕集効率の測定を行った。具体的には、試験サンプルを円環状のホルダー（有効面積：１００ｃｍ2）にセットし、捕集効率の測定を行った。測定条件としては、ポリアルファオレフィン（ＰＡＯ）の粒子（粒径：０．１μｍ以上０．２μｍ以下、個数：１０8個／Ｌ以上）を含む被濾過気体（透過流速：５．３ｃｍ／ｓｅｃ）を試験サンプルに透過させ、試験サンプルを透過したＰＡＯ粒子の濃度をパーティクルカウンターで測定した。そして、以下の（１）式により捕集効率を算出した。各実施例による試験フィルタの捕集効率については、下記表１に示す。また、捕集効率の判定基準は、捕集効率が９９．９９％以上を○、それ未満を×とした。
捕集効率（％）＝｛１−（試験フィルタを透過した粒子濃度／被濾過気体の粒子濃度）｝×１００・・・（１）
【００８３】
５．蛇行量の評価
図７（ａ）に示すように、実施例１〜６の製造装置１で得られたフィルタ濾材Ｆ１を長さ方向Ｌ１が６００ｍｍとなるように切断した。そして、直線状に伸びる基準定規Ｍ１と、該基準定規Ｍ１と直交するように配置されたガイド定規Ｍ２との間に、フィルタ濾材Ｆ１を配置した。この際、フィルタ濾材Ｆ１が切断されて形成された端部がガイド定規Ｍ２に当接するようにした。そして、基準定規Ｍ１からフィルタ濾材Ｆ１までの最大距離Ｄを蛇行量とした。測定結果については、下記表１に示す。
【００８４】
＜比較例１＞
上記実施形態の製造装置１における引き伸ばし部６に代えて、図７（ｂ）に示すように、板バネＳを濾材原反Ａの幅方向に等間隔で４つ配置した製造装置を用いたこと以外は、実施例と同一の条件でフィルタ濾材を作製し、実施例と同一条件で捕集効率および蛇行量を評価した。
【００８５】
【表１】
2014193430.tif 000003
【００８６】
＜まとめ＞
表１を見ると、各実施例の方が比較例１よりも蛇行量が少なく、捕集効率が高いことが認められる。つまり、濾材原反Ａの襞状領域が保持部材６ａによって上方引き伸ばし位置Ｈに搬送されることで、濾材原反Ａの襞状領域が幅方向に沿って蛇行してしまうのを抑制することができると共に、濾材原反Ａが損傷してしまうのを防止することができることが認められる。
【符号の説明】
【００８７】
１，１０…製造装置、２…プリーツ加工部、３…接着剤塗布部、３ａ…射出ノズル、３ｂ…上下搬送位置、４…濾材形成部、５…搬送部、５ａ…プリーツ圧縮部、５ｂ…プリーツ開放部、５ｃ…挟込部、５ｄ…加圧部、５ｅ…下側プレート、５ｆ…上側プレート、５ｇ…加圧装置、５ｈ…傾斜プレート、５ｉ…載置部材、６，６０…引き伸ばし部、６ａ…保持部材、６ｂ…当接部材、６ｃ…ローラー本体、６ｄ…環状突出部、６ｅ，６ｅ…棒状部材、Ａ…濾材原反、Ａ１…多孔質層、Ａ２…基材層、Ａ３…屈曲領域、Ａ４…非屈曲領域、Ｂ…ビード部、Ｆ１ａ…屈曲部、Ｆ１ｂ…平板部、Ｆ１ｃ…間隔保持部
【図１】
2014193430.tif 000004
【図２】
2014193430.tif 000005
【図３】
2014193430.tif 000006
【図４】
2014193430.tif 000007
【図５】
2014193430.tif 000008
【図６】
2014193430.tif 000009
【図７】
2014193430.tif 000010